(57)【要約】【課題】防音性能を低下させることなく、歩行時のふわふわ感を低減することができる防音床材を提供する。【解決手段】防音床材１は、裏面にスリット１５が形成された木質基材１０を有しており、スリット１５ごとに挿入されたクッション材２０を有した構成とされている。このクッション材２０は、上部２１がスリット１５内に収容されている一方、下部２２が木質基材１０の裏面側に突出している。【選択図】図１
2017197906.tif 000002
【特許請求の範囲】
【請求項１】
裏面にスリットが形成された木質基材を有した防音床材において、
前記スリットごとに挿入されたクッション材を有した構成とされており、
前記クッション材は、上部が前記スリット内に収容されている一方、下部が前記木質基材の裏面側に突出していることを特徴とする防音床材。
【請求項２】
請求項１において、
前記木質基材において相互に対辺の関係とされる両辺縁部のすくなくとも一方に対応した裏面に、前記クッション材の下端よりも突出しない、硬質材よりなる釘打ち固定部が設けられている、防音床材。
【請求項３】
請求項２において、
前記釘打ち固定部は、前記木質基材の短辺辺縁部に対応して設けられている、防音床材。
【発明の詳細な説明】
【技術分野】
【０００１】
本発明は、裏面にスリットが形成された木質基材を有した防音床材に関する。
【背景技術】
【０００２】
この種の防音床材として、スリットが形成された木質基材の裏面にクッション材を積層したものが種々提案されている（たとえば、特許文献１参照）。このような防音床材によれば、スリットを設けたことによる木質基材の曲げ剛性の低減化と、クッション材を設けたことによる吸音性、遮音性、衝撃緩和性の向上とにより、防音性能の向上を図ることができる。
【先行技術文献】
【特許文献】
【０００３】
【特許文献１】特開２００５−２８１９７６号公報
【発明の概要】
【発明が解決しようとする課題】
【０００４】
しかしながら、上記のような防音床材では、木質基材の裏面の全面に設けたクッション材のクッション性が利きすぎて歩行の際にふわふわするような感覚の沈み込みが発生し、歩行感が悪くなるおそれがある。
【０００５】
このように、スリットとクッション材を組み合わせて防音性能の向上を図るようにした防音床材においては、防音性とクッション性とのバランスを図ることが必要であり、適切なものとするために種々の研究が従来ではなされていた。
【０００６】
本発明は、このような事情を考慮して提案されたもので、その目的は、防音性能の低下を抑制しつつ、歩行時のふわふわ感を低減することができる防音床材を提供することにある。
【課題を解決するための手段】
【０００７】
上記目的を達成するために、本発明の防音床材は、裏面にスリットが形成された木質基材を有した防音床材において、スリットごとに挿入されたクッション材を有した構成とされており、クッション材は、上部がスリット内に収容されている一方、下部が木質基材の裏面側に突出していることを特徴とする。
【発明の効果】
【０００８】
本発明の防音床材によれば、上述した構成となっているため、防音性能の低下を抑制しつつ、歩行時のふわふわ感を低減することができる。
【図面の簡単な説明】
【０００９】
【図１】本発明の一実施形態に係る防音床材の説明図である。（ａ）は防音床材の概略平面図、（ｂ）は（ａ）のＡ−Ａ線に対応した拡大縦断面図である。
【図２】防音床材の施工状態を示す、図１（ａ）のＡ−Ａ線に対応した拡大縦断面図である。
【発明を実施するための形態】
【００１０】
以下に、本発明の実施の形態について、添付図面を参照しながら説明する。まず、以下の実施形態に係る防音床材１の概略基本構成について説明する。
【００１１】
本防音床材１は、裏面にスリット１５が形成された木質基材１０を有した床材である。この防音床材１は、スリット１５ごとに挿入されたクッション材２０を有した構成とされている。クッション材２０は、上部２１がスリット１５内に収容されている一方、下部２２が木質基材１０の裏面側に突出している（以上、図１および図２参照）。
【００１２】
このような防音床材１によれば、クッション材２０の下部２２が木質基材１０の裏面側に突出しているため、施工後にはクッション材２０の下端２３が床下地５に当接して減衰力が発揮される。この場合、クッション材２０は木質基材１０の裏面の全面にはないため、歩行時のふわふわ感を低減することができる。また、防音床材１はスリット１５およびクッション材２０を有した構造であるため、それらにより防音効果の低下を抑制することができる。
【００１３】
ついで、防音床材１の詳細について説明する。
【００１４】
この防音床材１の木質基材１０としては、複数の単板を重ねてなる合板を用いることができる。合板としては、５プライ、７プライなど種々のものを使用できる。もちろん、合板以外の他の材料を木質基材１０として用いてもよい。
【００１５】
防音床材１の長手方向、短手方向のいずれの方向においても、木質基材１０の各方向の一方の辺縁部１１には実結合用の雄実部１３が形成され、他方の辺縁部１２には雄実部１３が嵌合可能な形状とされる雌実部１４が形成されている（図１参照）。なお、図１（ｂ）には、図１（ａ）に示した防音床材１における、長手方向の一部を省略した拡大縦断面図を示した。
【００１６】
また、木質基材１０の表面には、突き板や化粧シートよりなる化粧材３５が貼着されている。
【００１７】
一方、木質基材１０の裏面には、長手方向、短手方向のそれぞれに沿って延びる、縦断面視でほぼ同形状の複数のスリット１５が形成されている。これらのスリット１５は木質基材１０の側端から反対側の側端まで貫通するように鋸加工などにより形成されている（図１（ｂ）参照）。木質基材１０は、これらのスリット１５により剛性が低下し、衝撃緩和作用がもたらされるようになっている。
【００１８】
上述したように、これらのスリット１５のそれぞれには、下部２２が木質基材１０の裏面側に突出するようにクッション材２０が挿入されている。クッション材２０の素材は、軟質ウレタン発泡体などの多孔質材料とされるが、これには限定されない。クッション材２０は、スリット１５に対して１対１に対応した薄厚の面材で構成されていることが望ましい。
【００１９】
それらの薄厚のクッション材２０は図１（ｂ）に示すように、防音床材１の表面に対して直交する方向に起立した状態で配されている。つまり、クッション材２０は、その厚さ方向が防音床材１の表面に平行な方向（図例では長手方向）に合致するように配されている。
【００２０】
また、木質基材１０において相互に対辺の関係とされる両辺縁部１１、１２のすくなくとも一方に対応した裏面に、クッション材２０の下端２３よりも突出しない、硬質材よりなる釘打ち固定部３０が設けられていることが望ましい。図１に示した防音床材１は、長手方向の両辺縁部１１、１２のそれぞれに相当する木質基材１０の裏面に、硬質材よりなる釘打ち固定部３０が設けられている。釘打ちは、後述するように、防音床材１を床下地５に固定するために、雄実部１３の上面の隅部から斜め下方に向けてなされる（図２参照）。
【００２１】
釘打ち固定部３０は、釘３などの固定具が挿通する、木質基材１０の辺縁部１１に対応する裏面に雄実部１３に沿って積層固着された固定部材とされる。また、雌実部１４側の辺縁部１２も同様に、木質基材１０の裏面に釘打ち固定部３０が積層固着されている。
【００２２】
本実施形態の防音床材１は、図１（ａ）に示すように、釘打ち固定部３０が木質基材１０の短辺辺縁部１１、１２に対応して設けてあるが、これには限定されず、長辺辺縁部に設けてもよい。また、釘打ち固定部３０は木質基材１０の短辺辺縁部１１、１２の全長に設けなくてもよく、短辺辺縁部１１、１２の全長のうちの釘打ちする箇所に対応した部位にのみ設けるようにしてもよい。
【００２３】
この釘打ち固定部３０は、後述する沈み込み防止材３１と同様、沈み込み防止作用を発揮させるために取り付けられたもので、木質材または硬質ウレタン発泡体などの硬質材で形成してあればよい。硬質の程度としては、釘打ちしたときに上下方向にほとんど変形（圧縮）しないものであればよい。
【００２４】
さらに本実施形態の防音床材１は、図１（ｂ）に示すように、長手方向の中央部に、断面視で釘打ち固定部３０と略同形状で同素材よりなる沈み込み防止部３１を備えている。
【００２５】
両辺縁部１１、１２の釘打ち固定部３０および中央部の沈み込み防止部３１はいずれも、木質基材１０の裏面を切削して形成した凹所１６に嵌め入れ固着されている。また、釘打ち固定部３０および沈み込み防止部３１の各裏面はいずれも、クッション材２０の下端２３よりも下方に突出せず、上方の位置にある。なお、凹所１６有しないものでもよいが、このような凹所１６が形成してあれば、防音床材１の製造の際に、釘打ち固定部３０および沈み込み防止部３１の位置合わせができ、取り付けがしやすくなる。
【００２６】
図１に例示した防音床材１の長手方向の全長は約１８１８ｍｍである。厚さ寸法については、化粧材３５を加味した厚みが約９ｍｍの木質基材１０を用いた場合、表面から釘打ち固定部３０の裏面までの厚みＴ１が約１２ｍｍである。釘打ち防止部３０、沈み込み防止部３１の厚みＴ２は約５ｍｍである。また、釘打ち防止部３０、沈み込み防止部３１を取り付けた凹所１６の深さは約２〜３ｍｍである。
【００２７】
また、木質基材１０の裏面からクッション材２０の下端２３までの突出長Ｔ４は約３ｍｍであり、クッション材２０の下端２３は釘打ち防止部３０の裏面よりわずかに下方に位置している。この段差は約２〜３ｍｍとなることが望ましい。
【００２８】
以上の数値からもわかるように、また図１（ｂ）にも図示されているように、この防音床材１は施工前においては、クッション材２０の下端２３が防音床材１における最下端となっている。
【００２９】
このような防音床材１は、既設の防音床材１Ａと実結合させて床下地５に設置、固着され、雄実部１３側を釘打ちすることで床下地５に固定される（図２参照）。
【００３０】
図２に示すように、クッション材２０は防音床材１の床下地５への釘打ち固定により上下方向から押圧され、クッション材２０の下方に突出した下部２２は圧縮された状態となる。そして、クッション材２０の下端２３の位置は釘打ち固定部３０の裏面と略同一位置レベルとなる。なお、防音床材１を施工した場合に、クッション材２０の弾性により、辺縁部１１、１２間の中央部が、見た目上ほとんど違和感がない程度にわずかに膨出するものでもよい。
【００３１】
以上のような防音床材１によれば、スリットに挿入されたクッション材２０の下部２２が木質基材１０の裏面側に突出しているため、施工後にクッション材２０の下部２２が床下地５に当接して減衰力が発揮され、歩行時のふわふわ感を低減することができる。つまり、クッション材２０は木質基材１０の裏面の全面に積層されたものではなく、複数のものが起立した状態にあるため柔軟性は緩和される。特に、本実施形態の防音床材１は釘打ち固定部３０が辺縁部１１、１２に設けてあるため、図２に示すように、施工後には、クッション材２０は床下地５への当接により変形して硬度が上がった状態が維持される。その結果、ふわふわ感がさらに低減される。
【００３２】
また、本実施形態では釘打ち固定部３０が短辺辺縁部１１、１２に設けてあるため、辺縁部１１、１２間の距離が長い。そのため、柔軟なクッション材２０を木質基材１０に積層した構成であれば中央部が撓みやすくなるが、複数のクッション材２０が立て配置された構成であるため沈み込みを食い止めることができ、効果が大きい。また、本実施形態の防音床材１は長手方向の中央に沈み込み防止部３１を備えているため、踏み込みが繰り返されてもクッション材２０が図２に示した状態よりも扁平なものにはならず、この沈み込み防止部３１が沈み込みの非常限として作用する。
【００３３】
また、辺縁部１１、１２には釘打ち固定部３０が配されているため、辺縁部１１、１２での沈み込みを当然に防止することができる。つまり、この防音床材１によれば、どの位置でもそれほど変わらない、ふわふわ感のない均一な歩行感が得られる。
【００３４】
もちろん、スリット１５およびそれに挿入されたクッション材２０による防音性能が発揮され、防音効果の低下を抑制することができる。
【００３５】
なお、釘打ち固定部３０は硬質材料よりなり、それにより防音性能がある程度低下するおそれがある。しかしながら、木質基材１０にはスリット１５が形成され、かつクッション材２０を有しているため、それらにより防音性能の低下を軽減することができる。また、この防音床材１は釘打ちを前提としているため、また上述したように防音性能も十分に考慮されているため、戸建て住宅の上層階に利用することが想定できるが、そのような用途には限定されない。
【００３６】
以上のように、この防音床材１は、防音性能と歩行性能はいずれもよく、それらのバランスもよい。また、クッション材２０は、その下方への突出長やクッション材２０の挿入個数を調整するなどすることで、設置対象に応じた適切な防音性能、歩行性能をバランスよく有した防音床材１を構成することができる。
【００３７】
本実施形態では、雄実部１３側に釘打ちする例を示したが、雌実部１４側にも釘打ち固定部３０が積層されているため、雌実部１４側で釘打ちした場合でも辺縁部１２の沈み込みを防止することができる。また、図２のような施工を行うことを前提とすれば、雌実部１４側の辺縁部１２は既設の防音床材１Ａの雄実部１３側の釘打ち固定部３０により沈み込みを防止できるようになっているため、釘打ち固定部３０を雄実部１３側だけに設けた構成であってもよい。このように、防音床材１は、釘打ち固定部３０が対辺関係にある辺縁部１１、１２の一方のみに設けられた構成であってもよい。
【００３８】
また、釘打ち固定部３０および沈み込み防止部３１は、それらを取り付けるための凹所１６の深さとの関係から、それらの裏面と木質基材１０の裏面とを略面一にすることもできる。そのように裏面を略面一にすれば、クッション材２０の下部２２の突出長を数ｍｍ以下程度とすることができる。
【００３９】
この場合、歩行した際にクッション材２０の下部２２が極薄状に圧縮され、木質基材１０の裏面が床下地５に近接または接触するようになる。そのため歩行時のふわふわ感はほとんどなくなる。よって、このようなものでは、中央に沈み込み防止部３１を設けなくてもよい。また、そのような防音床材であっても、スリット１５およびクッション材２０を有しているため、ある程度の防音性能を担保することができる。
【００４０】
以上には実施形態として雌雄実連結構成の防音床材１を示したが、相じゃくり形状の床材にも適用できることは言うまでもない。
【符号の説明】
【００４１】
１          防音床材
１０        木質基材
１１、１２  （短辺）辺縁部
１５        スリット
２０        クッション材
２１        上部
２２        下部
２３        下端
３０        釘打ち固定部
【図１】
2017197906.tif 000003
【図２】
2017197906.tif 000004